(57)【特許請求の範囲】
【請求項１】
定電圧を出力する定電圧出力回路と、
前記定電圧出力回路から電源線を通じて印加される前記定電圧に基づいて動作し、電力変換を行うためのスイッチング素子を制御するスイッチング素子制御回路と、
前記電源線において、前記定電圧出力回路から前記スイッチング素子制御回路にかけて順方向に接続されたダイオード素子と、
前記電源線における前記ダイオード素子と前記スイッチング素子制御回路との間に一端が接続され、他端がグランドに接続されたキャパシタと、
を備え、
前記定電圧出力回路は、
グランドと接続された配線において、前記ダイオード素子と同じ特性のダイオード素子である定電圧調整用ダイオード素子が接続されている
電力変換装置。
【請求項２】
前記ダイオード素子は、
前記定電圧出力回路から複数の前記スイッチング素子制御回路の各々へと接続される全ての前記電源線に接続されている
請求項１に記載の電力変換装置。
【請求項３】
前記ダイオード素子は、
前記スイッチング素子が、前記定電圧出力回路から前記電源線を通じて前記定電圧を印加される場合において、更に、前記定電圧出力回路と、前記定電圧を印加される前記スイッチング素子と、の間にも接続されている
請求項１又は請求項２に記載の電力変換装置。
【請求項４】
請求項１から請求項３の何れか一項に記載の電力変換装置を備える空調機。
【発明の詳細な説明】
【技術分野】
【０００１】
本発明は、電力変換装置及び空調機に関する。
【背景技術】
【０００２】
近年、パワーデバイスを用いた高効率製品開発に伴い、一つのコントローラに多くのパワーデバイス（スイッチング素子）を搭載する機会が増えている。
例えば、空気調和機（空調機）には、電力変換装置として、商用電源から直流電力を生成するためのアクティブフィルタ（アクティブコンバータ）、モータを駆動させるための交流電力を生成するインバータ等が搭載されている（特許文献１〜特許文献３参照）。これらのアクティブフィルタ、インバータ等は、大電力のスイッチングに適したスイッチング素子（いわゆるパワートランジスタ）で構成される。
【先行技術文献】
【特許文献】
【０００３】
【特許文献１】特開平０９−０６５６５９号公報
【特許文献２】特開２０１２−２３５６３３号公報
【特許文献３】特開平１１−２８９７７０号公報
【発明の概要】
【発明が解決しようとする課題】
【０００４】
上述のアクティブフィルタ、インバータ等は、各々を構成するスイッチング素子のＯＮ／ＯＦＦを適切に制御するスイッチング素子制御回路によって制御される。
一部の空調機においては、インバータ、アクティブコンバータ等を構成する多数のスイッチング素子が同一基板上に搭載されるため、各スイッチング素子のＯＮ／ＯＦＦ制御に応じたスイッチングノイズが発生する。そうすると、特に、各スイッチング素子を制御するスイッチング素子制御回路が同一の電源で動作する場合、電源線を通じて互いのノイズが伝搬し合い、誤動作の要因となることが懸念される。
【０００５】
本発明は、上記課題に鑑みてなされたものであって、その目的は、スイッチングノイズによる誤動作を低減可能な電力変換装置及び空調機を提供することにある。
【課題を解決するための手段】
【０００６】
本発明の一態様は、定電圧を出力する定電圧出力回路と、前記定電圧出力回路から電源線を通じて印加される前記定電圧に基づいて動作し、電力変換を行うためのスイッチング素子を制御するスイッチング素子制御回路と、前記電源線において、前記定電圧出力回路から前記スイッチング素子制御回路にかけて順方向に接続されたダイオード素子と、前記電源線における前記ダイオード素子と前記スイッチング素子制御回路との間に一端が接続され、他端がグランドに接続されたキャパシタと、を備える電力変換装置である。
【０００７】
また、本発明の一態様によれば、前記ダイオード素子は、前記定電圧出力回路から複数の前記スイッチング素子制御回路の各々へと接続される全ての前記電源線に接続されている。
【０００８】
また、本発明の一態様によれば、前記ダイオード素子は、前記スイッチング素子が、前記定電圧出力回路から前記電源線を通じて前記定電圧を印加される場合において、更に、前記定電圧出力回路と、前記定電圧を印加される前記スイッチング素子と、の間にも接続されている。
【０００９】
また、本発明の一態様によれば、前記定電圧出力回路は、グランドと接続された配線において、前記ダイオード素子と同じ特性のダイオード素子である定電圧調整用ダイオード素子が接続されている。
【００１０】
また、本発明の一態様は、上記記載の電力変換装置を備える空調機である。
【発明の効果】
【００１１】
上述の電力変換装置及び空調機によれば、スイッチングノイズによる誤動作を低減できる。
【図面の簡単な説明】
【００１２】
【図１】第１の実施形態に係る電力変換装置の全体構成を示す図である。
【図２】第１の実施形態に係る制御部の構成を示す図である。
【図３】第１の実施形態に係る制御部の作用効果を説明する第１の図である。
【図４】第１の実施形態に係る制御部の作用効果を説明する第２の図である。
【発明を実施するための形態】
【００１３】
＜第１の実施形態＞
以下、第１の実施形態に係る電力変換装置について、図１〜図４を参照しながら説明する。
【００１４】
（全体構成）
図１は、第１の実施形態に係る電力変換装置の全体構成を示す図である。
本実施形態に係る電力変換装置１は、空調機に搭載される。電力変換装置１は、商用電源からの交流電力を変換して、当該空調機の運転状態に応じてコンプレッサのモータを駆動させるための電力を生成する。
【００１５】
図１に示すように、電力変換装置１は、交流電源１０と、整流回路１１と、アクティブフィルタ１２と、インバータ１３と、モータ１４と、制御部２と、を備えている。
【００１６】
交流電源１０は、いわゆる商用電源であって、例えば、周波数５０Ｈｚ（６０Ｈｚ）、ＡＣ２００Ｖの交流電力を出力する。
【００１７】
整流回路１１は、ブリッジ接続されたダイオード素子からなる整流回路である。整流回路１１は、交流電源１０から入力された交流電力を直流電力に変換する。整流回路１１は、高電位線αに一定の高電位を、低電位線に一定の低電位（通常はグランド電位）を出力する。
【００１８】
アクティブフィルタ１２は、整流回路１１から出力される直流電力に重畳される高調波ノイズを低減する。
具体的には、図１に示すように、アクティブフィルタ１２は、インダクタ１２０、アクティブフィルタ用ダイオード素子１２１、及び、スイッチング素子１２２で構成される。アクティブフィルタ１２は、後述する制御部２が、高電位線αと低電位線βとの間に接続されるスイッチング素子１２２を適切に制御することで、整流回路１１から出力される直流電力の高調波成分を抑制するフィルタとして機能する。
なお、スイッチング素子１２２（及び、後述するスイッチング素子１３０）は、大電力出力（高電圧、大電流）に適用可能なパワートランジスタであり、例えば、ＦＥＴ（Field Effect Transistor）、バイポーラトランジスタ、ＩＧＢＴ（Insulated Gate Bipolar Transistor）素子等が一般的である。
【００１９】
インバータ１３は、整流回路１１から出力された直流電力を、モータ１４を駆動させるための三相交流電力に変換して出力する。
具体的には、図１に示すように、インバータ１３は、６個のスイッチング素子１３０によって構成される。インバータ１３は、高電位線αと低電位線βとの間において、３組のスイッチング素子１３０が並列に接続されてなり、当該スイッチング素子１３０の各組が、三相交流電力の各相（Ｕ相、Ｖ相、Ｗ相）に対応して交流電力を出力する。
【００２０】
モータ１４は、インバータ１３から出力される三相交流電力に応じたトルク、回転数で動力（回転力）を生成する。モータ１４が生成する回転力によりコンプレッサが駆動し、空調機としての基本的機能が発揮される。
【００２１】
制御部２は、電力変換装置１の動作全体を司る。
具体的には、制御部２は、高電位線α、低電位線βにおける各種センシング値（電圧、電流）を取り込みながら、取得した当該センシング値に応じて、適切にスイッチング素子１２２、１３０のＯＮ／ＯＦＦを制御する。制御部２の態様については、図２を参照しながら具体的に説明する。
【００２２】
（制御部の構成）
図２は、第１の実施形態に係る制御部の構成を示す図である。
図２に示すように、制御部２は、定電圧出力回路２０と、アクティブフィルタ制御回路２１と、制御用スイッチング素子２１０と、インバータ制御回路２２と、ファンモータ制御回路２３と、を備えている。
また、図２に示すように、制御部２を構成する各種回路には、ダイオード素子Ｄ０〜Ｄ３、定電圧調整用ダイオード素子Ｄ４、及び、キャパシタＣ０〜Ｃ４が接続されている。
【００２３】
定電圧出力回路２０は、いわゆるレギュレータであって、後述する各種回路（アクティブフィルタ制御回路２１、制御用スイッチング素子２１０、インバータ制御回路２２、ファンモータ制御回路２３）を動作させるための定電圧（電源電圧）を出力する。
定電圧出力回路２０は、例えば、ＤＣ１５Ｖの定電圧を出力する。定電圧出力回路２０から出力された定電圧は、電源線Ｖを通じて上記各種回路に供給（印加）される。
また、電源線Ｖは、定電圧出力回路２０から分岐して、上記各種回路の各々へと接続される。
【００２４】
アクティブフィルタ制御回路２１は、アクティブフィルタ１２（図１）を制御するスイッチング素子制御回路である。具体的には、アクティブフィルタ制御回路２１は、電力変換装置１の各配線（高電位線α、低電位線β等）における電圧（電流）をセンシングしながら、当該センシング値（サンプリング値）に応じて、アクティブフィルタ１２のスイッチング素子１２２を制御する。ここで、アクティブフィルタ制御回路２１は、例えば、３０ｋＨｚ程度の周波数でスイッチング素子１２２のＯＮ／ＯＦＦを制御する。
アクティブフィルタ制御回路２１は、電源線Ｖを通じて印加されるＤＣ１５Ｖの定電圧に基づいて動作する。
【００２５】
アクティブフィルタ１２は、制御用スイッチング素子２１０を介してスイッチング素子１２２を制御する。ここで、制御用スイッチング素子２１０は、アクティブフィルタ制御回路２１に基づいて動作するスイッチング素子である。制御用スイッチング素子２１０は、同じく、電源線Ｖを通じて印加されるＤＣ１５Ｖの定電圧に基づいて動作する。
【００２６】
インバータ制御回路２２は、インバータ１３（図１）を制御するスイッチング素子制御回路である。具体的には、インバータ制御回路２２は、インバータ１３を構成する６個のスイッチング素子１３０（図１参照）を制御して、三相交流電力の各相（Ｕ相、Ｖ相、Ｗ相）を生成する。
ここで、インバータ制御回路２２は、電力変換装置１の各配線（高電位線α、低電位線β等）における電圧（電流）のセンシング値に応じながら、インバータ１３を構成するスイッチング素子１３０の各々を独立して制御する。これにより、モータ１４（図１）のトルク、回転数等が、空調機の運転状態に応じて適宜調整される。インバータ制御回路２２は、例えば、４．５ｋＨｚ程度の周波数で各スイッチング素子１３０のＯＮ／ＯＦＦを制御する。
インバータ制御回路２２は、同じく、電源線Ｖを通じて印加されるＤＣ１５Ｖの定電圧に基づいて動作する。
【００２７】
ファンモータ制御回路２３は、ファンモータ（図１、図２には図示せず）を制御するスイッチング素子制御回路である。具体的には、ファンモータ制御回路２３は、ファンモータの回転を制御するためのスイッチング素子（図１、図２には図示せず）を制御して、ファンモータの回転を制御する。
ファンモータ制御回路２３は、同じく、電源線Ｖを通じて印加されるＤＣ１５Ｖの定電圧に基づいて動作する。
なお、ファンモータの回転を制御するスイッチング素子の構成は、図１に示すインバータ１３と同様である。
【００２８】
次に、電源線Ｖの各箇所に接続されたキャパシタＣ０〜Ｃ４、及び、ダイオード素子Ｄ０〜Ｄ３について説明する。なお、以下の説明において、電源線Ｖのうち定電圧出力回路２０に近い側を「上流側」、各スイッチング素子制御回路（アクティブフィルタ制御回路２１、インバータ制御回路２２等）に近い側を「下流側」と称して説明する。
【００２９】
キャパシタＣ０〜Ｃ４は、電源線Ｖに印加されるＤＣ１５Ｖの定電圧を安定化させるために設けられた平滑容量である。
図２に示すように、キャパシタＣ０は、定電圧出力回路２０とアクティブフィルタ制御回路２１とを接続する電源線Ｖの下流側に一端が接続され、他端がグランドに接続されている。
また、キャパシタＣ１は、定電圧出力回路２０と制御用スイッチング素子２１０とを接続する電源線Ｖの下流側に一端が接続され、他端がグランドに接続されている。
また、キャパシタＣ２は、定電圧出力回路２０とインバータ制御回路２２とを接続する電源線Ｖの下流側に一端が接続され、他端がグランドに接続されている。
また、キャパシタＣ３は、定電圧出力回路２０とファンモータ制御回路２３とを接続する電源線Ｖの下流側に一端が接続され、他端がグランドに接続されている。
そして、キャパシタＣ４は、電源線Ｖの上流側に一端が接続され、他端がグランドに接続されている。
【００３０】
図２に示すように、ダイオード素子Ｄ０〜Ｄ３は、それぞれ、定電圧出力回路２０から複数のスイッチング素子制御回路（アクティブフィルタ制御回路２１、インバータ制御回路２２、ファンモータ制御回路２３）及び制御用スイッチング素子２１０の各々へと接続される全ての電源線Ｖに接続されている。
具体的には、ダイオード素子Ｄ０は、定電圧出力回路２０とアクティブフィルタ制御回路２１とを接続する電源線Ｖにおいて、定電圧出力回路２０からアクティブフィルタ制御回路２１にかけて順方向に直列接続されている。
また、ダイオード素子Ｄ１は、定電圧出力回路２０と制御用スイッチング素子２１０とを接続する電源線Ｖにおいて、定電圧出力回路２０から制御用スイッチング素子２１０にかけて順方向に直列接続されている。
また、ダイオード素子Ｄ２は、定電圧出力回路２０とインバータ制御回路２２とを接続する電源線Ｖにおいて、定電圧出力回路２０からインバータ制御回路２２にかけて順方向に直列接続されている。
更に、ダイオード素子Ｄ３は、定電圧出力回路２０とファンモータ制御回路２３とを接続する電源線Ｖにおいて、定電圧出力回路２０からファンモータ制御回路２３にかけて順方向に直列接続されている。
【００３１】
図２に示すように、ダイオード素子Ｄ０は、キャパシタＣ０の一端よりも上流側の電源線Ｖにおいて接続される。換言すると、キャパシタＣ０は、電源線Ｖにおけるダイオード素子Ｄ０とアクティブフィルタ制御回路２１との間に一端が接続され、他端がグランドに接続される。
また、ダイオード素子Ｄ１は、キャパシタＣ１の一端よりも上流側の電源線Ｖにおいて接続される。換言すると、キャパシタＣ１は、電源線Ｖにおけるダイオード素子Ｄ１と制御用スイッチング素子２１０との間に一端が接続され、他端がグランドに接続される。
また、ダイオード素子Ｄ２は、キャパシタＣ２の一端よりも上流側の電源線Ｖにおいて接続される。換言すると、キャパシタＣ２は、電源線Ｖにおけるダイオード素子Ｄ２とインバータ制御回路２２との間に一端が接続され、他端がグランドに接続される。
更に、ダイオード素子Ｄ３は、キャパシタＣ３の一端よりも上流側の電源線Ｖにおいて接続される。換言すると、キャパシタＣ３は、電源線Ｖにおけるダイオード素子Ｄ３とファンモータ制御回路２３との間に一端が接続され、他端がグランドに接続される。
【００３２】
また、図２に示すように、定電圧調整用ダイオード素子Ｄ４は、定電圧出力回路２０とグランドとを接続する配線Ｇにおいて、直列に接続されている。ここで、定電圧調整用ダイオード素子Ｄ４は、定電圧出力回路２０からグランドにかけて順方向に接続される。
定電圧調整用ダイオード素子Ｄ４は、電源線Ｖの各所に接続されたダイオード素子Ｄ０〜Ｄ３と同じ特性のダイオード素子である。
【００３３】
（作用効果）
図３は、第１の実施形態に係る制御部の作用効果を説明する第１の図である。
また、図４は、第１の実施形態に係る制御部の作用効果を説明する第２の図である。
具体的には、図３は、図２に示す回路構成においてダイオード素子Ｄ０〜Ｄ３を具備しない対比例についての動作を説明する図である。
また、図４は、図２に示す回路構成のとおり、ダイオード素子Ｄ０〜Ｄ３を具備する制御部２の動作を説明する図である。
なお、図３、図４においては、簡略化のため、図２に示す制御部２の回路構成のうち、定電圧出力回路２０、アクティブフィルタ制御回路２１、インバータ制御回路２２及びこれらを接続する電源線Ｖのみを示している。
以下、図３及び図４を参照しながら、制御部２の回路構成（図２）に基づく作用効果について説明する。
【００３４】
図３、図４に示すアクティブフィルタ制御回路２１及びインバータ制御回路２２は、上述したように、それぞれ異なる制御周波数（例えば、３０ｋＨｚ、４．５ｋＨｚ等）で、各々に対応するスイッチング素子（スイッチング素子１２２、スイッチング素子１３０）のＯＮ／ＯＦＦを制御する。この場合、一般に、電源線Ｖにおいて、各々の制御周波数に応じたスイッチングノイズが発生する。なお、キャパシタＣ０〜Ｃ３は、このようなスイッチングノイズを平滑化して、各スイッチング素子制御回路に対し安定的に定電圧が供給されるようにする目的で設けられている。
【００３５】
しかしながら、対比例に示す回路構成（図３）の場合、上記スイッチングノイズが、電源線Ｖに接続された各キャパシタと電源線Ｖに寄生するインダクタンス成分とに基づく共振特性に誘起されることで、同スイッチングノイズの一部成分が、電源線Ｖにおいて伝搬、反射を繰り返すことが確認されている。
ここで、図３によれば、定電圧出力回路２０からアクティブフィルタ制御回路２１にかけて、定常的に電流Ｉｄ１が流れるとともに、定電圧出力回路２０からインバータ制御回路２２にかけて、定常的に電流Ｉｄ２が流れている。
対比例に示す回路構成の場合、定電圧出力回路２０から供給される正規の電流Ｉｄ１、Ｉｄ２に加え、アクティブフィルタ制御回路２１及びインバータ制御回路２２の各々の動作に起因して生じたスイッチングノイズが、キャパシタＣ０、Ｃ２と電源線Ｖに寄生するインダクタンス成分とに基づく共振特性に誘起されることで電源線Ｖを伝搬する。
例えば、図３に示すように、キャパシタＣ０からインバータ制御回路２２にかけてノイズ電流Ｉｎ１が流れるとともに、キャパシタＣ２からアクティブフィルタ制御回路２１にかけてノイズ電流Ｉｎ２が流れる。
【００３６】
このように、一つの電源線Ｖにおいて並列に接続された複数のスイッチング素子制御部が、それぞれ独立したタイミングでスイッチングノイズ（ノイズ電流Ｉｎ１、Ｉｎ２）を発生させるので、上記共振特性に誘起された複数のノイズ成分が所定のタイミングで重畳し、意図しないほどに強い電圧変動を生じさせることが懸念される。
そうすると、各スイッチング素子制御回路（アクティブフィルタ制御回路２１、インバータ制御回路２２等）における電圧（電流）のセンシング能力が大幅に低下し、場合によっては、誤動作を引き起こすことが懸念される。
また、通常の電力変換装置では、異常（過電流）が発生したことを検知する過電流検知器が備えられていることが一般的であるが、このような過電流検知器が、上述の電圧変動に起因して誤動作することも考えられる。
【００３７】
これに対し、第１の実施形態に係る制御部２の回路構成（図４）の場合、電源線Ｖに接続された各キャパシタと電源線Ｖに寄生するインダクタンス成分とに基づく共振特性に誘起されたスイッチングノイズが、ダイオード素子Ｄ０、Ｄ２を逆方向に伝搬する際に遮断される。
例えば、図４に示すように、キャパシタＣ０からインバータ制御回路２２にかけて流れようとするノイズ電流Ｉｎ１は、その進行方向に対し逆方向に接続されたダイオード素子Ｄ０によって遮断される。同様に、キャパシタＣ２からアクティブフィルタ制御回路２１にかけて流れようとするノイズ電流Ｉｎ２は、その進行方向に対し逆方向に接続されたダイオード素子Ｄ２によって遮断される。
一方、定電圧出力回路２０からアクティブフィルタ制御回路２１にかけて定常的に流れる電流Ｉｄ１は、ダイオード素子Ｄ０によって阻害されることはない。同様に、定電圧出力回路２０からインバータ制御回路２２にかけて定常的に流れる電流Ｉｄ２は、ダイオード素子Ｄ２によって阻害されることはない。
【００３８】
次に、定電圧調整用ダイオード素子Ｄ４の作用効果について説明する。
図２に示すように、定電圧出力回路２０と、各スイッチング素子制御回路（アクティブフィルタ制御回路２１、インバータ制御回路２２等）及び制御用スイッチング素子２１０と、の間にダイオード素子Ｄ０〜Ｄ３が設けられている。そうすると、電源線Ｖ上において、ダイオード素子Ｄ０〜Ｄ３の閾値電圧Ｖｆに起因する電圧降下（例えば、Ｖｆ＝０．７Ｖ）が生じる。この場合、各スイッチング素子制御回路等に印加される定電圧がダイオード素子Ｄ０〜Ｄ３の閾値電圧Ｖｆ分だけ低下する。したがって、各スイッチング素子制御回路等は、本来印加されるべき電圧（例えば、ＤＣ１５Ｖ）が印加されず、誤動作を引き起こす可能性がある。
【００３９】
そこで、図２に示すように、定電圧調整用ダイオード素子Ｄ４を、定電圧出力回路２０とグランドとを接続する配線Ｇにおいて、直列に接続する。このようにすることで、元々、ＤＣ１５Ｖの定電圧を出力するように設計されていた定電圧出力回路２０を、定電圧調整用ダイオード素子Ｄ４の閾値Ｖｆ分だけ上昇させることができる。ここで、上述したように、定電圧調整用ダイオード素子Ｄ４が他のダイオード素子Ｄ０〜Ｄ３と同じ特性である。そうすると、定電圧出力回路２０から出力される定電圧は、ダイオード素子Ｄ０〜Ｄ３による電圧降下量に相当する分だけ上昇するので、結果として、各スイッチング素子制御回路等に対し、所望する定電圧が印加される。
【００４０】
以上、第１の実施形態に係る電力変換装置１は、各スイッチング素子制御回路（及び、制御用スイッチング素子２１０）の各々に対応して接続されたダイオード素子Ｄ０〜Ｄ３をもって、共振現象により各電源線Ｖを伝搬し得るスイッチングノイズを遮断する。
これにより、スイッチングノイズを低減し、ひいてはスイッチングノイズによる誤動作を低減することができる。特に、アクティブフィルタ１２においては、アクティブフィルタ制御回路２１における電圧、電流のセンシング性能が改善されるため、高調波抑制性能が向上する。
【００４１】
また、例えば、制御用スイッチング素子２１０のように、スイッチング素子が定電圧出力回路２０から電源線Ｖを通じて定電圧を印加される場合には、ダイオード素子（ダイオード素子Ｄ１）が、更に、定電圧出力回路２０と、当該定電圧を印加されるスイッチング素子（制御用スイッチング素子２１０）と、の間にも接続されている。
電源線Ｖに接続されているスイッチング素子そのものもノイズ発生源となり得るため、このようにすることで、スイッチングノイズを一層低減することができる。
【００４２】
＜第１の実施形態の変形例＞
以上、第１の実施形態に係る電力変換装置１について詳細に説明したが、電力変換装置１の具体的な態様は、上述のものに限定されることはなく、要旨を逸脱しない範囲内において種々の設計変更等を加えることは可能である。
【００４３】
例えば、第１の実施形態に係る定電圧出力回路２０では、当該定電圧出力回路２０とグランドとを接続する配線Ｇに定電圧調整用ダイオード素子Ｄ４を接続することで定電圧を適切に調整する態様としたが、他の実施形態においてはこの態様に限定されない。
例えば、他の実施形態に係る定電圧出力回路２０は、配線Ｇに、ダイオード素子Ｄ０〜Ｄ３の閾値電圧Ｖｆに相当する電圧降下を生じさせる抵抗値を有する抵抗素子、又は、これに類する回路素子を接続する態様であってもよい。
【００４４】
また、第１の実施形態に係る電力変換装置１は、電源線Ｖに接続されるスイッチング素子制御回路と、同じ電源線Ｖに接続されるスイッチング素子（制御用スイッチング素子２１０）と、の全てに対応してダイオード素子Ｄ０〜Ｄ３及びキャパシタＣ０〜Ｃ３が設けられる態様として説明したが、他の実施形態においてはこの態様に限定されない。
即ち、他の実施形態においては、スイッチングノイズ低減効果が所望に得られる範囲内であれば、必ずしも、電源線Ｖに接続される全てのスイッチング素子制御回路及びスイッチング素子に対応してダイオード素子Ｄ０〜Ｄ３及びキャパシタＣ０〜Ｃ３を設けなくともよい。
【００４５】
また、第１の実施形態に係る電力変換装置１は、スイッチング素子制御回路として、アクティブフィルタ制御回路２１、インバータ制御回路２２及びファンモータ制御回路２３を備える態様（図２参照）として説明したが、他の実施形態においてはこの態様に限定されない。
即ち、他の実施形態においては、電力変換装置１は、アクティブフィルタ制御回路２１、インバータ制御回路２２、ファンモータ制御回路２３のうちの何れか一つ又は複数を具備しない態様であってもよいし、逆に、アクティブフィルタ制御回路２１、インバータ制御回路２２、ファンモータ制御回路２３以外のスイッチング素子制御回路を具備する態様であってもよい。
【００４６】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００４７】
１  電力変換装置
１０  交流電源
１１  整流回路
１２  アクティブフィルタ
１２０  インダクタ
１２１  アクティブフィルタ用ダイオード素子
１２２  スイッチング素子
１３  インバータ
１３０  スイッチング素子
１４  モータ
２  制御部
２０  定電圧出力回路
２１  アクティブフィルタ制御回路（スイッチング素子制御回路）
２１０  制御用スイッチング素子（スイッチング素子）
２２  インバータ制御回路（スイッチング素子制御回路）
２３  ファンモータ制御回路（スイッチング素子制御回路）
Ｃ０、Ｃ１、Ｃ２、Ｃ３、Ｃ４  キャパシタ
Ｄ０、Ｄ１、Ｄ２、Ｄ３  ダイオード素子
Ｄ４  定電圧調整用ダイオード素子
Ｖ  電源線
Ｇ  配線
α  高電位線
β  低電位線
【図１】
0006566555.tif 000002
【図２】
0006566555.tif 000003
【図３】
0006566555.tif 000004
【図４】
0006566555.tif 000005